(57)【要約】      （修正有）【課題】電解層の密閉が充分に確保できる上、組立が簡単で材料費のかからない構造のブラウンガス発生用電解層を提供する。【解決手段】電極板の内側と縁側に溝形の絶縁ブッシングを設けた電極板（Ａ）と電極板の内側のみに溝形の絶縁ブッシングを設けた電極板（Ｂ）を交互に数十枚重ね、その中心の孔に鋼管等の心棒を貫通させ、両端からナットで締付けるだけで数十個の密閉度の良い電解層が簡単に作れることを特徴とする。この電解層に電解液を供給し、両端の電極に適当な電圧を与えれば、電解層内の水が電気分解され、ブラウンガスが発生する。【選択図】図１
0003123258.tif 000002
【実用新案登録請求の範囲】
【請求項１】
図１の電極板（Ａ）に示す様に、角形（円形でも可）の金属板（ア）の中心に中心孔（エ：例φ２０〜φ４０）を設け、その中心孔（エ）に溝状で伸縮性の絶縁ブッシング（イ）と金属板（ア）の縁に溝状の伸縮性の絶縁ブッシング（ウ）を取付けた物を電極板（Ａ）とし、
また、図１の電極板（Ｂ）に示す様に、角形の金属板（サ）の中心に中心孔（ス：例φ２０〜φ４０）を設け、その中心孔（ス）に溝状で伸縮性の絶縁ブッシング（シ）を取付けた物を電極板（Ｂ）とする。
ここで電極板（Ｂ）は電極板（Ａ）より縦横とも数ｃｍ大きくしておく、このはみ出した部分は放熱フィン（ト）と利用できるため、上記電極板（Ａ）と電極板（Ｂ）を交互、又は適当な割合で数十枚組合せると大変放熱が良く、材料の利用率の良い電解層が得られる。上記組合せ構造。
【請求項２】
図１の電解層組立図の様に中心部に絶縁された中心孔（エ）及び（ス）を設け、その孔に鋼管等の心棒（タ）を通し両側からナット等（チ）、（ツ）で締付けると大変締付けバランスが良く、組立ての簡単な電解層が得られる。上記締付け構造。また、締付け位置は、便宜上中心としているが形状により適当な位置を選択する。
上記請求項１．２の様に構成された中心締付け形ブラウンガス発生用電解層。
【考案の詳細な説明】
【技術分野】
【０００１】  この発明は、電極板の中心に近い位置で締付けることを可能にしたブラウンガス発生用電解層に関するものである。
【背景技術】
【０００２】  従来のブラウンガス発生器の構造は図３の円筒形電解層（タ）か、図４の電極板と円形パッキンを組合せた角板パッキン形電解層（チ）のものが主に製作されている。しかし、
【考案の開示】
【考案が解決しようとする課題】
【０００３】これは次のような欠点があった。
図３の円筒形電解層は、円筒の中心に近い電極と外側に近い電極において、外に行くほど円周が大きくなるため電極面積に大きな差が生じるこのため、材料に大きな無駄が生じ、材料費が大変高コストになる。
図４の角板パッキン形電解層は、電極板と円形パッキンを交互に組合せた構造なので、シンプルであり、材料費も低コストであり理想に近い構造であるが、固定方法がパッキンの外側（電解層の外側）を数本のボルト（テ）で締付ける構造のため全体に変形し易く、堅く締めることができない。そのため密閉に問題が生じやすい。また、どうしても締めつけが甘くなりがちで、組立てに相当の注意、及び労力を必要としている。組立時間も見かけより時間を要している。
【課題を解決するための手段】
【０００４】  図１の電極板（Ａ）に示す様に、角形（円形でも可）の金属板（ア）の中心に中心孔（エ：例φ２０〜φ４０）を設け、その中心孔（エ）に溝状で伸縮性の絶縁ブッシング（イ）と金属板（ア）の縁に溝状で伸縮性の絶縁ブッシング（ウ）を取付けた物を電極板（Ａ）とする。
また、図１の電極板（Ｂ）に示す様に、角形の金属板（サ）の中心に中心孔（ス：例φ２０〜φ４０）を設け、その中心孔（ス）に溝状で伸縮性の絶縁ブッシング（シ）を取付けた物を電極板（Ｂ）とする。ここで電極板（Ｂ）は電極板（Ａ）より縦横とも数ｃｍ大きくしてはみ出した部分を放熱フィン（ト）として利用する。
組立て方法は、上記２種類の電極板（Ａ）と（Ｂ）を図１の電解層組立図の様に、交互、又は適当な割合で数十枚重ね中心部の中心孔（エ）及び（ス）に鋼管等の心棒（タ）を通し両側からナット等（チ）、（ツ）で締付ける。この時、両側の材料を丈夫なものにして、全体を締めると、締付けバランスが非常に良い。
上記組立てにより、重ねた枚数に相当の密閉された空間ができる、そしてその空間に電解液通過孔（カ）より電解液を注入すれば重ねた枚数に相当の電解層（ナ）ができる。
そして上記組立てられた電解層の両端に電圧を与えると、各電解層において水が電気分解されブラウンガスが発生し、ガス通過孔（オ）、（セ）を通してガスが出て行き、集積タンク（ｂ）に収集される。
本考案は以上のように構成された中心締付け形ブラウンガス発生用電解層である。
上記締付け構造は様々に応用でき、例として図４の角板パッキン形電解層の様な構造においても有効であり、パッキンより内側に絶縁材を取付けた孔を設け締付ければ、密閉がより確実になる。
また、締付け位置は、便宜上中心としているが形状により適当な位置に適当な数設けることも有効である。
【考案の効果】
【０００５】  ２種類の電極板（Ａ）、（Ｂ）を以上のように電極板の中心で締めつける構造で組立てると以下の様な特長が得られる。
１．中心で締付ける構造なので、締付けバランスが良く、電極板の変形が少ないので材料を薄く出来、経済的である。
２．中心で締付ける構造なので、組立てが大変容易である。またこの締付け方法は中心以外の任意の位置でも有効である。
３．放熱フィン（ト）があるため、大きな電流が流せる。
４．角形の電極板だから材料のロスが少ない。また、電解層も円形パッキンを利用した物よりほぼ電極板全面を利用出来るため、材料効率が良い。
【考案を実施するための最良の形態】
【０００６】  図２に示すように電解層の両端の電極板の上部ガス通過孔にガス取出口（ニ）を溶接して、接続菅を介してガス集積タンク（ｂ）とつなぐ。また図２に示すようにガス集積タンク（ｂ）を電解層（ａ）より上部に配置し、集積タンク（ｂ）上部よりガスを取出しガス機器（ｃ）に供給する。この時ガス集積タンク（ｂ）の底部に電解液を適当な量貯留すると、電解層（ナ）は完全満液になり電極板（Ａ）及び（Ｂ）の面使用効率が理想的となる。
ここで、電解層（ａ）の両端の電源端子（ｅ）に電圧を与えれば、水の電気分解を促し、ブラウンガスが発生する。
また電解層の締付け方法としては、両側に補強板をいれ中心のみで締付けても良いが、図２の様にまず中心を締付けた後、凹状の物体（テ）で外側を締付ければ締付けバランスがさらに良くなる。
【図面の簡単な説明】
【０００７】
【図１】本考案の中心締付け形電解層の概略図。
【図２】本装置を用いたブラウンガス発生の概略図。
【図３】従来品（仮称）円筒形電解層の概略図。
【図４】従来品（仮称）角板パッキン形電解層の概略図。
【符号の説明】
【０００８】ａ  本考案中心締付け形ブラウンガス発生用電解層
ｂ  ガス集積タンク兼給水タンク
ｃ  ガス機器              ｄ  圧力スイッチ      ｅ  電源端子
ア  金属板（電極板）      イ  絶縁ブッシング（内側）
ウ  絶縁ブッシング（縁側）エ  中心孔            オ  ガス通過孔
カ  電解液通過孔
サ  金属板（電極板）      シ  絶縁ブッシング（内側）
ス  中心孔                セ  ガス通過孔        ソ  電解液通過孔
タ  締付け用心棒          チ  ナット            ツ  ナット
テ  凹状の物体            ト  放熱フィン
ナ  電解層                ニ  ガス取出口        ヌ  電解液供給口
ネ  円筒形電極板
ハ  金属板（電極板）      ヒ  ボルト締付け孔    フ  ガス通過孔
ヘ  電解液供給口          ホ  ゴムパッキン
マ  ボルト締付け孔        ミ  締付けボルト
【図１】
0003123258.tif 000003
【図２】
0003123258.tif 000004
【図３】
0003123258.tif 000005
【図４】
0003123258.tif 000006
【手続補正書】
【提出日】平成18年2月8日(2006.2.8)
【手続補正１】
【補正対象書類名】実用新案登録請求の範囲
【補正対象項目名】全文
【補正方法】変更
【補正の内容】
【実用新案登録請求の範囲】
【請求項１】
本発明の電解層の構成は、
（１）角形又は円形の金属板の中心にφ２０〜φ４０の孔を設けた金属板を用意し、その孔部と縁部に溝状で伸縮性の有る絶縁材を取付ける、
（２）（１）よりも縦横とも数ｃｍ大きい金属板の中心にφ２０〜φ４０の孔を設けた金属板を用意し、その孔部のみに溝状で伸縮性の有る絶縁材を取付ける、ここで（１）の金属板より大きくて、はみ出した部分は放熱面として利用することができる、
（３）上記（１）の電極板、すなわち中心と縁に絶縁材を取付けた電極板と（２）の電極板、すなわち中心のみに絶縁材を取付けた少し大きめの電極板を交互、又は適当な割合で数十枚組合せ、両金属板の中心の絶縁された孔を利用して心棒を通し、両側からナット等で締付ければ、密閉された数十個の電解層が作れる、
上記の様に構成された中心締付け形ブラウンガス発生用電解層。